(57)【特許請求の範囲】
【請求項１】
変速ボリューム（１）の回転操作によって電動車の最高速度を設定可能とする電動車において、操作スイッチ（２），（３）の操作により電動車のメンテナンスを行う調整モードへ切替え調整内容を表示装置（４）へ表示可能に構成するに、変速ボリューム（１）の回転位置により複数の調整モードを選択可能に構成するとともに、設定後の調整モードから隣接の調整モードへの移行時の敷居値（Ａ）と、元の調整モードへの復帰時の敷居値（Ｂ）とに差（Ｃ）を有せしめたことを特徴とする電動車における調整モード切替装置。
【発明の詳細な説明】
【０００１】
【発明の属する技術分野】
この発明は電動車椅子等の電動車において、各操作部材の機能等をチェックする等メンテナンスの為の調整モードへの切替装置に関するものである。
【０００２】
【従来の技術】
本願出願人は、電動車椅子等の電動車において、各操作スイッチの機能確認や位置の調整の為の調整モードへ切替技術を開発し実公平８−７７６２号として公告されている。
【０００３】
【発明が解決しようとする課題】
上記技術にあっては、高、中、低速への切替スイッチとホーンスイッチ及び電源スイッチとの関連操作により調整モードへの切替を行い、その調整モードでの表示をバッテリーメータを利用して行っているが、これらの各操作スイッチはＯＮ、ＯＦＦ、又は切替スイッチでありその切替位置が確実であり、誤操作や表示の乱れなく正確な調整を行なえるものである。
しかしながら、近年操作性向上の為に高、中、低速等有段式の切替スイッチに変えて、無断階に連続して速度調節可能な変速ボリュームを使う場合が多くなっている。
この変速ボリュームの回動操作位置と他の操作部材との関連操作により調整モードに切替え可能に構成するに、特に変速ボリュームの回動操作位置に応じて複数種類の調整モードに切替え、その調整内容をバッテリー残量メータ等によって表示しようとすると、各調整モードの境界付近で調整モードを設定した場合には、調整作業中の僅かの操作や機体の振動により設定モードが不意に切替わり表示が変化する等の不具合を生じていた。
この発明はこの様な問題点を解決しようとするものである。
【０００４】
【課題を解決するための手段】
変速ボリューム１の回転操作によって電動車の最高速度を設定可能とする電動車において、操作スイッチ２，３の操作により電動車のメンテナンスを行う調整モードへ切替え調整内容を表示装置４へ表示可能に構成するに、変速ボリューム１の回転位置により複数の調整モードを選択可能に構成するとともに、設定後の調整モードから隣接の調整モードへの移行時の敷居値Ａと、元の調整モードへの復帰時の敷居値Ｂとに差Ｃを有せしめたことを特徴とする電動車における調整モード切替装置の構成とする。
【０００５】
【発明の作用及び効果】
通常の走行に際しては、変速ボリューム１を操作して無段階の変速範囲の中から所望の最高速度を選定し、この最高速度以下でアクセル操作により安全に走行できる。
次に、電動車の操作部材の機能チェック等のメンテナンスを行う場合には、操作スイッチ２，３を操作して調整モードへ切替えると共に表示装置４へ調整内容を表示する。次に変速ボリューム１を回動操作して複数の調整モードから所望の調整モードを選択し、表示装置４の表示状態を見ながらスイッチ等の機能チェックや調整を行う。
この調整に際して設定後の調整モードから隣接の調整モードへの移行時の敷居値Ａと、元の調整モードへの復帰時の敷居値Ｂとに差Ｃを設けたものであるから、例えば、各調整モードの境界付近で調整モードを設定した場合にあっても、調整作業中の操作や振動等によって調整モードが不意に切替わる恐れなく安定した調整作業を行うことができる。
【０００６】
【実施例】
図例は電動車椅子に本発明装置を実施したものであって、該電動車椅子は、車体フレーム４に１個の前輪５と左右一対の後輪６，６を軸架する三輪構造であって、ハンドル７の操作によって前輪５を操舵可能に構成してある。
８はリヤカバーであって、モータ９やギヤボックス等の後輪６駆動部材を内装してある。１０はステップ、１１は椅子であって支持杆１２，１２によって支持してある。１３はコントローラケースであり、ステップ１０下部の車体フレーム４に取着してあり、走行制御用のコントローラを内装してある。
１４はハンドル７上部に取着の操作ボックスであり、変速ボリューム１、電源スイッチ２、前後進切替スイッチ１５、バッテリ表示メータ４等を設けてある。アクセル１７はハンドル７の右側グリップ１８に沿って設けられ、該アクセル１７の回動操作の程度によって走行速度を調整可能に構成してある。
手押しスイッチ３は、操作ボックス１４の右端側操作面に設けてあり、ハンドル７の右側グリップ１８を握ったままで操作可能な位置に設けてあり、この手押しスイッチ３を操作することにより、電磁ブレーキ２８を強制的に解放し手押し走行可能にするものである。
【０００７】
図３は走行制御用コントローラの入力手段及び制御手段の接続状態を示すブロック図であって、電源スイッチ１の投入によりバッテリー１９の電流を制御回路（イ）と駆動回路（ロ）へ供給可能に構成してある。
１７は速度指令信号発生器であって、具体的にはアクセル１７によって回動調節される可変抵抗器によって構成され、その出力電圧を中央演算装置としてのＣＰＵ２０へ出力する。なお、アクセル１７を離した際に自動復帰されるニュートラル位置で、出力される電圧を停止指令電圧に設定してある。
【０００８】
バッテリー１９の電圧は、バッテリー電圧検出器３１により検出されてＣＰＵ２０へ入力して演算処理され、バッテリー残量を５連のＬＥＤからなるバッテリメータ４へ出力表示する。
モータ９は、前後進切替リレー２１を介してバッテリー１９へ接続され、又、前後切替リレー２１は、前進指令回路２２及び後進指令回路２３によってＣＰＵ２０へ接続してある。
【０００９】
駆動トランジスタ２４は、前述の速度指令信号発生器１７からの指令信号を入力されＣＰＵ２０によって演算処理して出力される駆動パルスによって駆動され、バッテリ１９からの電流をモータ駆動回路２５へ供給する。
制動トランジスタ２６は、同じく速度指令信号発生器１７の指令信号をＣＰＵ２０によって演算処理して出力される制動パルスによって駆動され、モータ駆動回路２５を閉回路に構成して発電制動作用を仂らかせるものである。
２７は速度検出手段の一列であるエンコーダーであって、モータ９又は各回転軸の回転数を検出してＣＰＵ２０へ入力し走行速度を演算する。
２８は、負作動の電磁ブレーキであって、走行中は通電により制動を解除し、停止中はバネ力によりモータ軸に制動力を付与する。
２９は温度センサーであって、制御部、特に駆動トランジスタ２４近傍の温度を測定してＡ／Ｄ変換器を介してＣＰＵ２０へ入力し、温度上昇時にモータ９へ供給電流を制限、又は停止させモータ９及び制御部を保護する。
電流検出器３０はモータ駆動回路２５中に設けられ、モータ９への供給電流を検出し、Ａ／Ｄ変換器を介してＣＰＵ２０へ入力し、負荷状態を検出するものである。
【００１０】
変速ボリューム１は可変抵抗器に接続され、その回動位置に応じてその出力電圧をＣＰＵ２０へ出力し、アクセル１７の最大操作時の最高速度を設定するものであり、電動車いすの場合は０〜６ｋｍ／ｈである。
調整モードへの切替用の操作スイッチ２，３は具体的には電源スイッチ２と手押しスイッチ３を使用しており、図４のフローチャートで示す如く手押しスイッチ３をＯＮ操作した状態のまま電源スイッチ２をＯＦＦからＯＮ状態に切替えることで調整モードに切替わり、この時の変速ボリューム１の回転操作位置に応じて複数の調整モードの中から特定の調整モードが初期設定されるとともに調整内容が表示装置４に表示される。
即ち、変速ボリューム１の回動位置が、上記０〜６ｋｍ／ｈの設定レベルＳのうち、Ｓ＜２ｋｍ／ｈの時は調整モードＭ＝０へ、又、２ｋｍ／ｈ≦Ｓ＜４ｋｍ／ｈのときは、Ｍ＝１へ、それ以外の場合はＭ＝２へそれぞれ初期設定される。この調整モードＭ＝０は具体的にはスイッチ調整モードであり、前後進切替スイッチ５等の切替時の導通状態を表示装置４に表示し機能チェックを行う。
調整モードＭ＝１は履歴モードであり、ＣＰＵ２０に記憶される充電回数や、トラブルの履歴を表示装置４に表示する。
調整モードＭ＝２はアクセル調整モードであり、アクセル１７のニュートラル位置及び、最大操作位置での可変抵抗器の出力電圧をＣＰＵ２０へ取込み基準電圧と比較し、アクセル１７と可変抵抗器との間の連係状態を調節する。
この表示装置４は、５連のＬＥＤからなるバッテリメータを使用し、各ＬＥＤの点灯と消灯による二進法表示としてある。
【００１１】
図５は変速ボリュームの回動範囲を示す展開図であり、数字は設定レベルＳを示す。図５の（イ）は初期設定時の各調整モードの設定レベルを示し、又、図（ロ）は初期設定後の調整モードＭ＝０、即ち、スイッチ調整モードでの設定保持範囲を示すものであって、図４のフローチャートに示す如く、変速ボリューム１が不測に変動したとしてもその設定レベルがＳ≧２．２ｋｍ／ｈになるまではＭ＝０を保持し、設定レベルがこの値になると隣接のＭ＝１の調整モードへ切替わる。即ち、隣接の調整モードへ移行時の敷居値Ａを２．２ｋｍ／ｈに設定し、逆にＭ＝１からＭ＝０への復帰時の敷居値ＢをＳ≦１．８ｋｍ／ｈに設定し、差Ｃを０．４ｋｍ／ｈ分設けてある。
同様に、図（ハ）は、調整モードＭ＝１に初期設定された場合を示し、この場合のＭ＝２への移行時の敷居値ＡはＳ≧４．２ｋｍ／ｈ、ＢはＳ≦３．８ｋｍ／ｈであり、Ｍ＝０への移行時の敷居値ＡはＳ≦１．８ｋｍ／ｈ、ＢはＳ≧２．２ｋｍ／ｈであり、更に、図（ニ）は調整モードＭ＝２に初期設定された場合を示し、この場合の敷居値ＡはＳ≦３．８ｋｍ／ｈ、ＢはＳ≧４．２ｋｍ／ｈであり、それぞれ図４のフローチャートに切替プロセスを示す。
【図面の簡単な説明】
【図１】全体側面図。
【図２】全体平面図。
【図３】制御ブロック図。
【図４】フローチャート図。
【図５】変速ボリュームの展開図。
【符号の説明】
１    変速ボリューム
２    電源スイッチ
３    手押しスイッチ
４    表示装置
Ａ    敷居値
Ｂ    敷居値
【図１】
0003575533.tif 000002
【図２】
0003575533.tif 000003
【図３】
0003575533.tif 000004
【図４】
0003575533.tif 000005
【図５】
0003575533.tif 000006